(57)【要約】      （修正有）【課題】手の届きにくい百会、風池などのツボ部でも自分で簡単かつ効果的に押圧刺激でき、且つ、構造が簡単で使い勝手の良いツボ押圧器具を安価に提供する。【解決手段】棒状の本体１の長手方向の一端面２に凹部１ａに設け、該凹部１ａに筆記具等の棒状部材３を着脱可能に遊着して取り付ける。又、前記本体１の他端面６には、身体のツボ部を押圧刺激するための押圧片５を複数植設する。該押圧片５の形状は針状又はピン状に形成する。複数の押圧片５の一部又は全部は、例えばリング状、放射状等の左右対称となるように配設する。【選択図】  図２
2007130402.tif 000002
【特許請求の範囲】
【請求項１】
本体に針状又はピン状の押圧片を複数植設し、且つ、該押圧片は前記本体の長手方向一端面より外方向へ突設し、該突設部分先端部で身体のツボ部を押圧刺激できるように構成したことを特徴とするツボ押圧器具。
【請求項２】
上記本体は上記押圧片が突設された端面と反対側の端面に凹部を形成し、該凹部に筆記具等の棒状部材を遊着できるように構成されたことを特徴とする請求項１記載のツボ押圧器具。
【発明の詳細な説明】
【技術分野】
【０００１】
本発明は、ツボ押圧器具に関するものであり、特に、頭部や首部に存在する百会、風池等のツボを手軽に効果的に押圧することができるツボ押圧器具に関するものである。
【背景技術】
【０００２】
従来、患者自身で身体のツボ部を押圧刺激することにより、血行を良くして疲労回復や健康増進を図るようにした器具が種々開発されている。例えば、下部シートと上部シートの間に複数のローラを回動自在に設けると共に、該下部シートと上部シートの周縁部を接着した器具が開発されている。
【０００３】
この器具によれば、上部シートの上に足裏、背中、臀部その他の身体各部を載せて、該身体各部をローラ回動方向に往復動作させることにより、該身体各部のツボ部をローラにて押圧刺激することができる（特許文献１）。
【特許文献１】特開２００５−２７０１５１号公報
【発明の開示】
【発明が解決しようとする課題】
【０００４】
上記従来のツボ押し用器具は、ローラの上に足裏、背中、臀部その他の身体各部を載せてツボ部を押圧刺激するためのものであるが、頭部や首部にある百会、風池等のツボ部を刺激することが困難である。例えば、ローラの上に頭部を載せて押圧刺激した場合は、頭部のローラ当接部分すべてが線接触又は面接触状態で押圧刺激されるので、目的とする百会を的確に点接触状態で押圧刺激することはできない。又、複数本並設されたローラの上に頭部や首部を載せてツボ部を押圧刺激した場合、頭部や首部は凸状又は凹状に湾曲しているので、該湾曲部にある百会、風池等のツボ部を効果的に押圧刺激することは不可能である。
【０００５】
さらに、下部シートと上部シートの間に複数本のローラが収納されているので、制作費が高いうえに、構造が大型化し携帯に不便であり、屋外では使用し難く使い勝手が良くないという問題があった。
【０００６】
そこで、自分で頭部や首部に位置する百会、風池等のツボ部を効果的に押圧刺激でき、且つ、構造がシンプル・小型化し、携帯に便利で使い勝手の良いツボ押圧器具を安価に提供するために解決すべき技術的課題が生じてくるのであり、本発明はその課題を解決することを目的とするものである。
【課題を解決するための手段】
【０００７】
本発明は上記目的を達成するために提案されたものであり、請求項１記載の発明は、本体に針状又はピン状の押圧片を複数植設し、且つ、該押圧片は前記本体の長手方向一端面より外方向へ突設し、該突設部分先端部で身体のツボ部を押圧刺激できるように構成したツボ押圧器具を提供する。
【０００８】
この発明によれば、使用者（患者等）等が頭部や首部にあるツボ部、例えば百会、風池を押圧刺激する場合は、本体を手指で持って押圧片を百会、風池等のツボ部に当てて効果的に押圧刺激できる。尚、本明細書において「押圧刺激」とは、「押圧」以外に「叩打」、「擦過」などの意味も含みツボ効果を発揮させることを言う。
【０００９】
請求項２記載の発明は、上記本体は上記押圧片が突設された端面と反対側の端面に凹部を形成し、該凹部に筆記具等の棒状部材が遊着されるように構成して成る請求項１記載のツボ押圧器具を提供する。
【００１０】
この構成によれば、押圧片が突設された端面と反対側の端面に凹部を形成したので、例えば、頭部や首部の後ろ側にあるツボ部を押圧刺激する場合、前記凹部に筆記具等の棒状部材を遊着して、該棒状部材を把持部として使用して押圧刺激できる。
【発明の効果】
【００１１】
請求項１記載の発明によれば、使用者は頭部や首部などのツボ部に押圧片で押圧刺激できるので、自分で都合のいい時に屋内屋外を問わず何処に居ても簡単にツボ部を押圧刺激することができる。例えば、頭の頂上部に位置する百会を「刺激」、即ち、「押圧」、「叩打」、「擦過」すれば、脳の血行が促進され、自律神経の乱れも正常に整えられ、頭痛、不眠症、鼻づまりなどを解消ができるという優れた効果を有する。
【００１２】
又、本発明のツボ押圧器具は、本体の端面に押圧片を植設するだけで容易に作製でき、製作費も廉価になり、構造が簡単で小型化が図られるというメリットを有する。
【００１３】
請求項２記載の発明は、本体の凹部に筆記具等の棒状部材を遊着して、該棒状部材を把持部として使用できるので、請求項１記載の発明の効果に加えて、手の届きにくいツボ部、例えば、頭部や首部の後ろ側にあるツボ部を押圧刺激する場合でも、使用者自身で容易に押圧刺激することができ、使い勝手が著しく向上するという格別の効果を奏する。又、押圧片が植設される本体の端面は、筆記具等の棒状部材よりも大径に形成できるので、押圧片の植設面積を広く確保することができる。
【発明を実施するための最良の形態】
【００１４】
本発明は、頭部や首部などの刺激しがたい箇所のツボ部でも一人で効果的に刺激でき、且つ、構造が簡単で使い勝手の良いツボ押圧器具を安価に提供するという目的を、本体に針状又はピン状の押圧片を複数植設し、且つ、該押圧片は前記本体の長手方向一端面より外方向へ突設し、該突設部分先端部で身体のツボ部を押圧刺激できるように構成したことにより達成した。
【実施例】
【００１５】
以下、本発明による好適な一実施例について、図１乃至図９を参照しながら説明する。図１は、本実施例に係るツボ押圧器具を示す斜視図、図２は図１の縦断面図、図３はツボ押圧器具に係る押圧片部分の他の形態を示す斜視図、図４〜図８はそれぞれ本実施例に係る押圧片の配列形態を示す説明図、図９は頭部及び首部のツボ部を示す説明図である。
【００１６】
図１及び図２において、１は棒状の本体であり、該本体１はそれ自体が把持部として機能する。本体１の長手方向一端面（同図の下側端面）２の中心位置には凹部１ａが形成されている。凹部１ａの断面形状は、後述の棒状部材３の断面形状と対応する角型、丸型等の所要形状に形成されている。
【００１７】
本体１の凹部１ａは、棒状部材３の一端部を脱着可能に遊着できるように構成されている。本実施例では、図２に示すように、棒状部材３は、該棒状部材３の一端部に被着されたキャップ４を介して、前記凹部１ａに脱着可能に挿着できるように構成されている。この棒状部材３としては、鉛筆、ボールペン、シャープペンシル、細長のサインペン等の筆記具、或いは、該筆記具に類似した形態を有するものを用いることができる。
【００１８】
前記棒状部材３は、必要に応じて本体１の凹部１ａに取り付けて使用されるものであり、必須の構成要素ではない。尚、前記棒状部材３はキャップ４を介さずに、本体１の凹部１ａに直接取り付けることもできる。又、棒状部材３は、中実又は中空のいずれでも良い。
【００１９】
５は身体各部のツボ部に押圧刺激するための押圧片であり、該押圧片５は本体１の長手方向他端面６に複数植設されている。該押圧片５は、該他端面（図１の上側端面）６より外方向へ真っ直ぐ突設され、該突設部分の先端で身体のツボ部を押圧刺激できるように構成されている。押圧片５の形状は、身体各部のツボ部を点接触にて効果的に刺激できるように、針状又はピン状に形成されている。
【００２０】
押圧片５の先端形状は、ツボ部を押した際の安全確保のために丸く形成することができる。又、押圧片５の材質は、ツボ部を効果的に刺激できる硬さや強度を有すれば、合成樹脂、木質、金属、硬質ゴムなどを適宜採択することができる。この押圧片５は本体１と一体に形成することも可能である。
【００２１】
尚、不使用時に押圧片５を覆うための保護カバー（図示省略）を本体１に脱着自在に装着することもできる。該保護カバーを本体１に装着した場合は、押圧片５が外部に露出しないので、押圧片５の突出部分を保護した状態で、上着のポケットや鞄などに入れて携行することができる。
【００２２】
図３は本実施例に係る押圧片５部分の他の態様を示す斜視図である。同図では、本体１の長手方向端面６に、本体１の直径方向ＬＲに細長い直方体状の突起部６ａを形成し、該突起部６ａの端面に、複数の押圧片５を本体１の直径方向に一列に植設している。
【００２３】
上記複数の押圧片５の一部又は全部は、リング状、直線状、放射状などの左右対称となるように配列することが好ましい。図４又は図５の構成例では、本体１の他端面６の中心箇所に複数本（図示例は４，５本）の押圧片５を配設すると共に、該中心箇所の周りに複数本（図示例は６〜１８本）の押圧片５をリング状に１列又は２列配設している。
【００２４】
押圧片５の配列パターンとしては、上記の他に種々の配列パターンを適宜採用できる。例えば、本体１の中心箇所近傍に複数の押圧片５全てをリング状に設けても良いし、或いは、Ｘ状（図６参照）もしくはY状、２列状（図７参照）又は十字状（図８参照）に設けても良い。
【００２５】
上記ツボ押圧器具７を用いて、使用者が身体各部のツボ部を押圧刺激するときは、本体１又は棒状部材３を手指で持って、目的とするツボ部に押圧片５を当てて押圧刺激すれば良い。この場合、押圧片５はツボ部を点接触で押圧できるので、当該ツボ部を効果的に刺激できる。
【００２６】
例えば、頭の頂上部に位置する百会（図９の符号Ｔ１参照）とその周りの阿是穴を軽く押す、叩く、擦過などして刺激すれば、脳の血行が著しく促進され、自律神経の乱れも正常に調整され、頭痛、不眠症、鼻づまりなどの症状を解消することができる。
【００２７】
このように、本発明のツボ押圧器具７によれば、使用者は一人で簡単にツボ部を点接触で押圧刺激できる。従って、他人にツボ部を押して貰ったり、加療通院する必要がない。又、本発明は、本体１の端面６に押圧片５を植設するだけで安価に作製でき、従来に比べて構造がシンプルであり小型化が図れる。
【００２８】
複数の押圧片５をリング状又は放射状に配置した場合は、複数の押圧片５全体として、該ツボ部に対する圧接可能な有効領域が増大し、ツボ部に対して本体１が多少位置ずれしていても、目的とするツボ部を前記押圧片５で確実に押圧刺激できる。
【００２９】
本発明は、筆記具タイプのツボ押圧器具７であり、本体１の凹部１ａに挿着された鉛筆、ボールペン等の棒状部材３を手指で握って使用できる。従って、使用者の手が届きにくい身体各部のツボ部を容易に押圧刺激でき、ツボ押圧器具７の使い勝手が著しく向上し、子供から年寄りまで誰でも、自分でツボ部を的確に押圧刺激できる。又、押圧片５が植設される本体１の端面６は、筆記具等の棒状部材３よりも大径に形成できるので、押圧片５の植設面積を広く確保することができる。
【００３０】
斯くして、本発明は、自分一人で「鍼の自然治癒力」を高めて、自己の健康を増進させることができる。又、本発明のツボ押圧器具７は、不使用時に、棒状部材３を本体１の凹部１から取り外すことができ、ポケットやバッグ等の中に入れて携行すれば、都合のいい時に何処でも手軽に使用できる。特に、ツボ押圧器具７を机上、引出し、ベッドサイド、トイレ、浴室などに常備しておけば、より簡便に自宅やオフィス等で使用できる。
【００３１】
従来器具では押圧刺激が困難であった身体各部のツボ部、例えば、図９に示すように、頭部や首部の凹部又は凸部に位置する百会（万能ツボ部）Ｔ１、風池Ｔ２、風府Ｔ３、天桂Ｔ４などのツボ部を手軽に押圧刺激できるので、ストレスを含む精神的緊張による頭痛、眼精疲労、肩凝りなどの症状を効果的に解消させることができる。
【００３２】
本発明は、本発明の精神を逸脱しない限り種々の改変を為すことができ、そして、本発明が該改変されたものに及ぶことは当然である。
【図面の簡単な説明】
【００３３】
【図１】本発明の一実施例に係るツボ押圧器具を示す斜視図。
【図２】図１のツボ押圧器具の縦断面図。
【図３】本発明の一実施例に係るツボ押圧器具の他の態様例を示す斜視図。
【図４】本発明に係る押圧片の第１の配列形態を示す説明図。
【図５】本発明に係る押圧片の第２の配列形態を示す説明図。
【図６】本発明に係る押圧片の第３の配列形態を示す説明図。
【図７】本発明に係る押圧片の第４の配列形態を示す説明図。
【図８】本発明に係る押圧片の第５の配列形態を示す説明図。
【図９】本発明に係る頭部及び首部のツボ部を示す説明図。
【符号の説明】
【００３４】
１    本体
１ａ  凹部
２    一端面
３    筆記具等の棒状部材
４    キャップ
５    押圧片
６    他端面
６ａ  突起部
７    ツボ押圧器具
【図１】
2007130402.tif 000003
【図２】
2007130402.tif 000004
【図３】
2007130402.tif 000005
【図４】
2007130402.tif 000006
【図５】
2007130402.tif 000007
【図６】
2007130402.tif 000008
【図７】
2007130402.tif 000009
【図８】
2007130402.tif 000010
【図９】
2007130402.tif 000011